(57)【要約】【課題】電源投入時または省エネモードから復帰時において読み取り可能となるまでの時間を短縮させることができる原稿読取装置を提供すること目的とする。【解決手段】ブック読み取り機能を少なくとも備えた原稿読取装置であって、読取原稿をコンタクトガラスに圧接する圧板手段と、前記圧板手段に設けられ、シェーディング補正用基準白画像を形成する第１の白基準画像部材と、電源投入時または省エネモード復帰時、読取光学系を移動するキャリッジを基準位置へ復帰させる前の停止状態で、前記第１の白基準画像部材の画像を読み取って、シェーディング補正用基準データを作成し、白レベル調整を行う制御手段を備えた。【選択図】        図１
2010016514.tif 000002
【特許請求の範囲】
【請求項１】
ブック読み取り機能を少なくとも備えた原稿読取装置であって、
読取原稿をコンタクトガラスに圧接する圧板手段と、
前記圧板手段に設けられ、シェーディング補正用基準白画像を形成する第１の白基準画像部材と、
電源投入時または省エネモード復帰時、読取光学系を移動するキャリッジを基準位置へ復帰させる前の停止状態で、前記第１の白基準画像部材の画像を読み取って、シェーディング補正用基準データを作成し、白レベル調整を行う制御手段を備えたことを特徴とする原稿読取装置。
【請求項２】
前記圧板の開閉を検知する圧板開閉検知センサ手段と、
前記コンタクトガラスの近傍に設けられ、シェーディング補正用基準白画像を形成する第２の白基準画像部材をさらに備え、
前記制御手段は、シェーディング補正用基準データ作成時、前記圧板開閉検知センサが前記圧板の開放を検知している場合には、前記キャリッジを前記第２の白基準画像部材の読取位置へ移動させ、当該第２の白基準画像部材の画像を読み取って、前記シェーディング補正用基準データを作成することを特徴とする請求項１記載の原稿読取装置。
【請求項３】
原稿台に載置された読取原稿を１枚ずつ読取位置へ搬送するとともに前記圧板手段を兼ねる圧板兼用部材を設けた自動原稿読取装置をさらに備え、
読取原稿の搬送手段に、シェーディング補正用基準白画像を形成する第３の白基準画像部材を設けるとともに、
前記圧板兼用部材には、シェーディング補正用基準白画像を形成する第４の白基準画像部材を設けたことを特徴とする請求項１または２記載の原稿読取装置。
【請求項４】
前記制御手段は、前記白レベル調整後のゲインの値が適正値でない場合には、前記キャリッジを前記第２の白基準画像部材の読取位置へ移動させ、当該第２の白基準画像部材の画像を読み取って、前記シェーディング補正用基準データを作成し、再度、前記白レベル調整を行うことを特徴とする請求項２または３記載の原稿読取装置。
【発明の詳細な説明】
【技術分野】
【０００１】
本発明は、ブック読み取り機能を少なくとも備えた原稿読取装置に関する。
【背景技術】
【０００２】
一般に、原稿台上の原稿画像をＣＣＤイメージセンサに結像する走査光学系と、前記ＣＣＤイメージセンサの後段に利得を持つ信号処理回路およびアナログ信号をデジタル信号に変換するＡ／Ｄコンバータとを持ち、原稿画像読取時に基準白板の濃度データを読み取る事により利得の補正とシェーディング補正とを行う原稿読取装置では、シェーディング補正の基準となる基準白板（シェーディング補正用基準白画像）の反射光を読み取ってシェーディングデータを生成し、その後に読み取った原稿データに対して補正する事により適正濃度の画像を得ているが、シェーディングデータの生成は、電源投入時またはスキャナエンジンオフから復帰時（以降、「省エネモードから復帰」とする）、さらに自動原稿搬送装置（ＡＤＦ）を用いた複数枚の原稿の画像を連続的に読み取る場合に行われる。
【０００３】
一方、走査光学系をコンタクトガラスの下方で副走査方向へ移動させるキャリッジは、電源投入時に所定のホームポジション位置で停止している保証は無い。そこで、キャリッジ位置確認のため所定のホーミング処理を行い、次いで、基準白板下へキャリッジを移行させて、基準白板の画像を読み取るようにしている。
【０００４】
また、省エネモードへ移行する際に、キャリッジを基準白板下へ移動させたとしても、省エネモードから復帰時に、キャリッジが基準白板下に位置している保証は無い。したがって、省エネモードからの復帰時においても、キャリッジが基準白板下に位置しているかの判断処理やホーミング処理を行う必要があった。
【特許文献１】特開２００４−１５９３５６号公報
【特許文献２】特開平１０−２２４６２４号公報
【発明の開示】
【発明が解決しようとする課題】
【０００５】
しかしながら、これらの処理を行うことは、制御系の負荷が増す事のみならず、電源投入時または省エネモードから復帰時に原稿を読み取り可能となるまに時間が掛かってしまうという問題がある。
【０００６】
本発明は、かかる実情に鑑みてなされたものであり、電源投入時または省エネモードから復帰時において読み取り可能となるまでの時間を短縮させることができる原稿読取装置を提供すること目的とする。
【課題を解決するための手段】
【０００７】
本発明は、ブック読み取り機能を少なくとも備えた原稿読取装置であって、読取原稿をコンタクトガラスに圧接する圧板手段と、前記圧板手段に設けられ、シェーディング補正用基準白画像を形成する第１の白基準画像部材と、電源投入時または省エネモード復帰時、読取光学系を移動するキャリッジを基準位置へ復帰させる前の停止状態で、前記第１の白基準画像部材の画像を読み取って、シェーディング補正用基準データを作成し、白レベル調整を行う制御手段を備えたものである。
【０００８】
また、前記圧板の開閉を検知する圧板開閉検知センサ手段と、前記コンタクトガラスの近傍に設けられ、シェーディング補正用基準白画像を形成する第２の白基準画像部材をさらに備え、前記制御手段は、シェーディング補正用基準データ作成時、前記圧板開閉検知センサが前記圧板の開放を検知している場合には、前記キャリッジを前記第２の白基準画像部材の読取位置へ移動させ、当該第２の白基準画像部材の画像を読み取って、前記シェーディング補正用基準データを作成するようにしたものである。
【０００９】
また、原稿台に載置された読取原稿を１枚ずつ読取位置へ搬送するとともに前記圧板手段を兼ねる圧板兼用部材を設けた自動原稿読取装置をさらに備え、読取原稿の搬送手段に、シェーディング補正用基準白画像を形成する第３の白基準画像部材を設けるとともに、前記圧板兼用部材には、シェーディング補正用基準白画像を形成する第４の白基準画像部材を設けたものである。
【００１０】
また、前記制御手段は、前記白レベル調整後のゲインの値が適正値でない場合には、前記キャリッジを前記第２の白基準画像部材の読取位置へ移動させ、当該第２の白基準画像部材の画像を読み取って、前記シェーディング補正用基準データを作成し、再度、前記白レベル調整を行うようにしたものである。
【発明の効果】
【００１１】
したがって、本発明によれば、電源投入時または省エネモード復帰時におけるシェーディング補正用基準データの作成の際に要する時間を大幅に短縮することができるので、電源投入時または省エネモードから復帰時において読み取り可能となるまでの時間を大幅に短縮させることができるという効果を得る。
【発明を実施するための最良の形態】
【００１２】
以下、添付図面を参照しながら、本発明の実施の形態を詳細に説明する。
【００１３】
図１は、本発明の一実施例にかかる原稿読取装置の概略構成の一例を示している。この画像読取装置１は、読取原稿を原稿台２から１枚ずつ分離して読取位置ＲＬへ搬送する自動原稿搬送ユニット（ＡＤＦ）１ａと、読取位置の原稿画像を１ラインずつ読み取る画像読取ユニット１ｂからなる。また、画像読取ユニット１ｂは、シートスキャン型の原稿読取機能（シートスキャンモード）と、ブックスキャン型の原稿読取機能（ブックスキャンモード）の２つの原稿読取機能を備える。
【００１４】
自動原稿搬送ユニット１ａにおいて、原稿台２に載置された読取原稿ＰＰは、その最上部に位置するものがピックアップコロ３により取り出されて、分離ユニット４に送り出され、この分離ユニット４により１枚ずつに分離されて送り出しコロ５に送り出される。送り出しコロ５は、１枚の読取原稿をガイド部材ＧＧを通して搬送方向へ送り出す。
【００１５】
それにより、読取原稿ＰＰは、搬送ローラ６と搬送ドラム７に挟持され、また、搬送ドラム７の表面に密着した状態で搬送され、読取位置ＲＬを通過して、排出ローラ８へと搬送され、排出ローラ８により、排紙トレイ９へと排紙される。
【００１６】
また、原稿読取ユニット１ｂでは、読取位置ＲＬに対応して、シートスキャン用のコンタクトガラス１０が配設されている。このコンタクトガラス１０の副走査方向の寸法は、４（ｍｍ）程度である。
【００１７】
また、コンタクトガラス１０の右側には、ブックスキャン用のコンタクトガラス１１が配設されている。また、基準白板ＷＬａは、シェーディング補正用の白基準画像を構成するためのものである。
【００１８】
ランプ１２は、読取原稿ＰＰの原稿面を照明するものであり、この読取原稿ＰＰからの反射光は、第１ミラー１３、第２ミラー１５、および、第３ミラー１６を順次反射して、レンズ１８に導かれ、レンズ１８により集束されて、基板１９に設けられたＣＣＤラインイメージセンサ２０に照射される。
【００１９】
また、ランプ１２と第１ミラー１３は、第１キャリッジ１４に搭載されて副走査方向ＳＳへ往復移動されるとともに、第２ミラー１５および第３ミラー１６は、第２キャリッジ１７に搭載されて副走査方向ＳＳへ往復移動する。また、コンタクトガラス１０からＣＣＤラインイメージセンサ２０までの光路長を維持するために、第２キャリッジ１７は、第１キャリッジ１６の１／２の速度で移動される。
【００２０】
また、スキャナモータ２１は、第１キャリッジ１４および第２キャリッジ１７を駆動するためのものである。
【００２１】
また、自動原稿搬送ユニット１ａは、全体がコンタクトガラス１１に対して開閉する構造となっており、コンタクトガラス１１に対向する部分は、ブック原稿等をコンタクトガラス１１に圧接するための圧板部材を構成している。また、この圧板部材において、キャリッジによるランプ１２のスキャン範囲には、シェーディング補正用の白基準画像を構成する基準白板ＷＬｂが配設されている。
【００２２】
また、コンタクトガラス１０に対向する搬送ドラム７の表面は、シェーディング補正用の白基準画像を構成する基準白板部材（図示略）が配設されている。
【００２３】
このように、搬送ドラム７の表面と、自動原稿搬送ユニット１ａの圧板部材の表面に、基準白板部材を設けているので、電源投入時または省エネモード復帰時に、キャリッジ１４の位置が不定の状態であっても、光源１２の光の照射位置（すなわち、画像読取位置）は、いずれかの基準白板部材の画像を読み取る状態となっている確率が非常に高いこととなる。
【００２４】
また、ブックスキャンモードでは、キャリッジを副走査方向ＳＳへ移動しながら、ＣＣＤラインイメージセンサ２０を駆動して、コンタクトガラス１１上の原稿画像を読み取る。
【００２５】
また、シートスキャンモードでは、連続して複数枚の原稿を読み取ることが可能であり、この場合は、キャリッジは移動せず、ランプ１２は読取位置ＲＬで停止された状態となる。
【００２６】
図２は、本発明の一実施例にかかる原稿読取装置の概略構成の他の例を示している。なお、同図において、図１と同一部分には、同一符号を付して、その説明を省略する。
【００２７】
この実施例では、図１の構成から自動原稿搬送ユニット１ａを除いた構成となっており、画像読取ユニット１ｂは、ブックスキャン型の原稿読取機能のみを備える。また、読取原稿をコンタクトガラス１１に圧接する圧板部材ＢＰが設けられており、この圧板部材ＢＰには、キャリッジ１４による読み取り光源のスキャン範囲に、シェーディング補正用の白基準画像を構成する基準白板ＷＬｂ’が配設されている。
【００２８】
このように、本実施例では、圧板部材ＢＰの表面に、基準白板ＷＬｂ’を設けているので、電源投入時または省エネモード復帰時に、キャリッジ１４の位置が不定の状態であっても、光源１２の光の照射位置（すなわち、画像読取位置）は、基準白板ＷＬｂ’の画像を読み取る状態となっている確率が非常に高いこととなる。
【００２９】
図３は、本発明の一実施例にかかる原稿読取装置の制御系の一例を示している。
【００３０】
同図において、ＣＰＵ（中央処理装置）３１は、この原稿読取装置の各部の動作を制御したり、他の装置との間の通信を行う機能を実現するためのものであり、ＲＯＭ（リード・オンリ・メモリ）３２は、ＣＰＵ３１が実行するプログラムデータやシステムに必要な各種データを記憶するものであり、ＲＡＭ（ランダム・アクセス・メモリ）３３は、ＣＰＵ３１のワークエリア等を構成するためのものである。
【００３１】
操作表示部３４は、ユーザがこの原稿読取装置を操作するための操作キーや、ユーザに装置の状態等を表示する等の表示装置などからなり、ユーザ・インタフェースを構成するハードウェア資源であり、外部インタフェース回路３５は、外部装置（例えば、ホスト装置など）と接続し、外部装置との間で種々のデータをやりとりするためのものである。
【００３２】
入出力制御部３６は、コンタクトガラス１１の近傍に配設され、コンタクトガラス１１に載置された原稿のサイズを検知するための原稿サイズ検知センサ３７、自動原稿搬送ユニット１ａまたは圧板ＢＰがコンタクトガラス１１に密着しているか（閉じているか）、または、自動原稿搬送ユニット１ａまたは圧板ＢＰがコンタクトガラス１１から離れているか（開いている）を検出するためのＡＤＦ（圧板）開閉センサ３８、スキャナモータ２１などを駆動するためのモータ駆動部３９、ランプ１２を点灯駆動するためのランプ駆動部４０、ＣＣＤラインイメージセンサ２０を駆動して、読取画像データを形成する原稿読み取り部４１、および、キャリッジが所定のホームポジションに位置しているか否かを検出するためのホームポジションセンサ４２との間で種々のデータをやりとりするためのものである。
【００３３】
これらのＣＰＵ３１、ＲＯＭ３２、ＲＡＭ３３、操作表示部３４、外部インタフェース回路３５、および、入出力制御部３６は、内部バス４３に接続されており、これらの各要素間のデータのやりとりは、主として、この内部バス４３を介して行われる。
【００３４】
また、電源ユニット４５は、原稿読取装置の各要素へ電源を供給すると共に、省エネモードと通常動作モードで電源の供給先の切換を行う機能を備えており、通常動作モードから省エネモードへの移行と、省エネモードから通常動作モードへの復帰については、ＣＰＵ３１により制御される。
【００３５】
図４は、原稿読み取り部４１の概略構成を示している。
【００３６】
同図において、タイミング発生部５１は、ＣＣＤラインイメージセンサ２０を駆動するための種々のタイミング信号を出力するものであり、ＣＣＤラインイメージセンサ２０から出力されるアナログ画像信号は、アナログ信号処理部５２に加えられている。また、タイミング発生部５１からアナログ信号処理部５２およびＡ／Ｄ（アナログ／デジタル）変換器５３には、必要な種々のタイミング信号が出力されている。
【００３７】
アナログ信号処理部５２は、ＣＣＤラインイメージセンサ２０から１ライン毎に出力されるアナログ画像信号を入力し、アナログ画像信号に対して、オフセットクランプ、サンプル／ホールド（Ｓ／Ｈ）、黒オフセット補正、および、信号増幅などのアナログ信号処理を適用するものであり、その出力信号は、Ａ／Ｄ変換器５３に加えられている。
【００３８】
Ａ／Ｄ変換器５３は、アナログ信号処理部５２の出力信号を対応するデジタル画像信号（デジタルデータ）に変換すると共に、所定のシェーディング補正処理を行うものである。
【００３９】
ここで、黒オフセット補正は、任意の期間の黒レベルを検出し、そのレベルが指定した黒目標値になるようにフィードバック補正する機能であり、この黒レベルの検出を空転送領域（後述）で行っている場合がある（空転送画素は物理的な画素ではないのでＯＰＢ領域に対して広い期間確保できる）。
【００４０】
また、タイミング発生部５１は、アナログ信号処理部５２のレジスタ制御も行っている（図示略）。
【００４１】
図５は、電源投入時または省エネモードからの復帰時の処理の一例を示している。
【００４２】
まず、その状態が電源投入か、省エネモードから復帰か判定を行う（判断１０１）。判断１０１で電源投入という判定がされると（判断１０１の結果がＹＥＳ）、所定の電源オン時処理（処理１０２）を行い、省エネモードから復帰の時（判断１０１の結果がＮＯ）には、所定の省エネ復帰時処理（処理１０３）を行う。
【００４３】
次いで、白レベル調整を行うために直ちにランプ点灯を行う（処理１０４）。ランプ光量が安定するまで一定時間を待機した後、所定の白レベル調整（処理１０５）を行う。次いで、所定の黒レベル確認処理（処理１０６）を行い、キャリッジをホームポジション（ＨＰ）ヘ移動させる（処理１０７）。
【００４４】
次に、白レベル調整でゲインエラーが無いか所定の判定処理を行い（判断１０８）、エラーが無い時（判断１０８の結果がＹＥＳ）には、ランプ１２を消灯させる（処理１０９）。その後、黒レベル確認でエラーが無いかを判定し（判断１１０）、エラー無しの場合には（判断１１０の結果がＹＥＳ）、スキャナスタンバイとする（処理１１１）。エラーがある場合には（判断１１０の結果がＮＯ）、エラー表示等の所定のエラー処理を行う（処理１１２）。
【００４５】
また、判断１０８で白レベルのゲインエラーと判定した時（判断１０８の結果がＮＯ）、何度目のエラーであるかを設定させる事（判断１１３）で、直ちにエラー表示またはエラー処理を行う事（処理１１２）と、調整位置を基準白板ＷＬａ下にして（処理１１４）、再度白レベル調整を行う事ができる（処理１０５へ戻る）。その際、ランプ点灯を維持している事で、直ちに白レベル調整が可能となる。
【００４６】
このようにして、本実施例では、従来行っていた電源オン時処理後のホーミング動作を省略できるので、直ちにランプ点灯できるとともに、キャリッジを基準白板ＷＬａ下へ移動する処理を省略できる。また、省エネモードから復帰においてはキャリッジをホームポジションへ移動した後に、キャリッジが基準白板ＷＬａ下にいたか否かの判定を省略でき、また、基準白板下ＷＬａ以外で白レベル調整を行ったと判定した場合、再びキャリッジをホームから基準白板ＷＬａ下へ移動させて白レベル調整以降の処理を行うという処理を省略できる。
【００４７】
したがって、本実施例では、従来に比べて、処理工程を大幅に省略することができるので、電源投入時または省エネモード復帰時において、読み取り可能となるまでの時間を大幅に短縮することができる。
【００４８】
図６は、白レベル調整処理の一例を示している。
【００４９】
電源投入時または、省エネモードからの復帰時に行う白レベル調整で、その時のキャリッジが基準白板ＷＬａ位置でなく、基準白板ＷＬｂ，ＷＬｂ’の場合、ゴミや汚れ等の影響を受けて許容できる白レベル調整値を得られない可能性がある。
【００５０】
そこで、白レベル調整を行う際には１主走査のみで白レベル調整を行うのではなく、ゴミや汚れを回避するためにキャリッジを移動させ、複数ラインを読み取りその平均を取ることで、許容できる白レベル調整値を得ることができることとなる。
【００５１】
すなわち、ランプ点灯させてから光量安定までのウィエトを置いた後、白レベル調整のフローに移る。その場のキャリッジ位置でデータを取得した後に得られたデータを基に白レベルのゲイン演算を行う（処理２０１，２０２）。複数のデータを取得するため、次にキャリッジを移動させる（処理２０３）。キャリッジを移動させ別のラインでゲイン演算を行ったか判断を行う。キャリッジが所定量移動していなければ（判断２０４の結果がＮＯ）、処理２０１〜２０３のフローを繰り返す。キャリッジが所定量移動して、複数ラインでの白レベル調整を行ったのであれば（判断２０４の結果がＹＥＳ）、黒レベル確認の処理（処理２０５）へ移行する。
【００５２】
ところで、自動原稿搬送ユニット１ａあるいは圧板ＢＰが開いている場合、または、半開き状態の場合で、キャリッジが基準白板下以外に位置する時には、正常に白レベル調整できない可能性がある。加えて、自動原稿搬送ユニット１ａあるいは圧板ＢＰがが開いている故に、ランプ１２の強い光をユーザーが直接目に受けるという懸念もある。
【００５３】
このような事態を回避するには、例えば、ＡＤＦ（圧板）開閉センサ３８を利用して、開閉状態を把握する。自動原稿搬送ユニット１ａあるいは圧板ＢＰが開いている時には従来通り基準白板ＷＬａ下で調整を行う。ただし、何らかの外的要因によってキャリッジの移動が無い限りは省エネモードから復帰時にキャリッジが基準白板ＷＬａ下で待機しているため、自動原稿搬送ユニット１ａあるいは圧板ＢＰが開いていてもその場で白レベル調整を行うものである。
【００５４】
この場合の処理の一例を図７，８に示す。
【００５５】
電源投入時で、判断３０１の結果がＹＥＳになるときには、所定の電源オン時処理（処理３０２）を実行し、ＡＤＦ（圧板）開閉センサ３８の信号を調べて、自動原稿搬送ユニット１ａあるいは圧板ＢＰが閉じているかどうかを判断する（判断３０３）。
【００５６】
判断３０３の結果がＹＥＳになるときには、白レベル調整を行うために直ちにランプ点灯を行う（処理３０４）。ランプ光量が安定するまで一定時間を待機した後、所定の白レベル調整（処理３０５）を行う。次いで、所定の黒レベル確認処理（処理３０６）を行い、キャリッジをホームポジション（ＨＰ）ヘ移動させる（処理３０７）。
【００５７】
次に、白レベル調整でゲインエラーが無いか所定の判定処理を行い（判断３０８）、エラーが無い時（判断３０８の結果がＹＥＳ）には、ランプ１２を消灯させる（処理３０９）。その後、黒レベル確認でエラーが無いかを判定し（判断３１０）、エラー無しの場合には（判断３１０の結果がＹＥＳ）、スキャナスタンバイとする（処理３１１）。エラーがある場合には（判断３１０の結果がＮＯ）、エラー表示等の所定のエラー処理を行う（処理３１２）。
【００５８】
また、判断３０８で白レベルのゲインエラーと判定した時（判断３０８の結果がＮＯ）、何度目のエラーであるかを設定させる事（判断３１３）で、直ちにエラー表示またはエラー処理を行う事（処理３１２）と、調整位置を基準白板ＷＬａ下にして（処理３１４）、再度白レベル調整を行う事ができる（処理３０５へ戻る）。その際、ランプ点灯を維持している事で、直ちに白レベル調整が可能となる。
【００５９】
一方、自動原稿搬送ユニット１ａあるいは圧板ＢＰが開いている場合で、判断３０３の結果がＮＯになるときには、キャリッジをホームポジション（ＨＰ）へ移動し（ホーミング処理；処理３１５）、ランプ点灯（処理３１６）し、キャリッジを基準白板ＷＬａ下へ移動（処理３１７）させ、白レベル調整（処理３１８）を行う。次いで、処理３０６へ移行し、それ以降の処理を実行する。
【００６０】
また、省エネモード復帰時で、判断３０１の結果がＮＯになるときには、所定の省エネモード復帰時の処理を行う（処理３２０）。次いで、自動原稿搬送ユニット１ａあるいは圧板ＢＰが閉じているかどうかを調べ（判断３２１）、判断３２１の結果がＹＥＳになるときには、処理３０４へ移行し、それ以降の処理を実行する。
【００６１】
自動原稿搬送ユニット１ａあるいは圧板ＢＰが開いている場合で、判断３２１の結果がＮＯになるときには、ホームポジションセンサ４２がオンしているかどうかを調べる（判断３２２）。判断３２２の結果がＹＥＳになるときには、キャリッジがホームポジションに位置している場合であり、処理３１５へ移行し、それ以降の処理を実行する。
【００６２】
また、判断３２２の結果がＮＯになるときには、キャリッジが基準白板ＷＬａ下で待機している可能性があるので、直ちにランプ点灯（処理３２３）を行い、白レベル調整（処理３２４）、黒レベル確認（処理３２５）、キャリッジをホームへ移動（処理３２６）の一連の流れを順に行う。
【００６３】
その後、確かにキャリッジは基準白板ＷＬａ下で省エネモードから復帰したか（判断３２７）の判定を行う。この判定は、スキャナモータ２１の駆動パルス数をカウントするなどして、予め基準白板ＷＬａからホームポジションまでの距離におけるスキャナモータ２１の駆動パルス数を記憶しておく事で比較し判定を行える。
【００６４】
判断３２７の結果がＮＯになるときには、処理３１７へ移行し、それ以降の処理を実行する。また、判断３２７の結果がＹＥＳになるときには、判断３０８へ移行し、それ以降の処理を実行する。
【００６５】
ところで、前回ユーザーが使用した原稿がコンタクトガラス上に残っている場合には、正常に白レベル調整ができない可能性がある。すなわち、自動原稿搬送ユニット１ａあるいは圧板ＢＰの基準白板ＷＬｂ，ＷＬｂ’で白レベル調整を行う時、読み取り原稿を参照して白レベル調整を行ってしまう懸念があるためである。
【００６６】
そこで、原稿サイズ検知センサ３７を用いてコンタクトガラス１１上に読取原稿ＰＰが残っているか否かの判定を行い、その判定結果に従って、基準白板ＷＬａを使って白レベル調整を行うか、あるいは、基準白板ＷＬｂ，ＷＬｂ’を使って白レベル調整を行うかを判定するようにすると良い。
【００６７】
この場合の処理の一例を図９，１０に示す。
【００６８】
電源投入時で、判断４０１の結果がＹＥＳになるときには、所定の電源オン時処理（処理４０２）を実行し、原稿サイズ検知センサ３７の信号を調べて、コンタクトガラス１１上に読取原稿ＰＰが位置していないか否かを判断する（判断４０３）。
【００６９】
コンタクトガラス１１上に読取原稿ＰＰが位置していない場合で、判断４０３の結果がＹＥＳになるときには、白レベル調整を行うために直ちにランプ点灯を行う（処理４０４）。ランプ光量が安定するまで一定時間を待機した後、所定の白レベル調整（処理４０５）を行う。次いで、所定の黒レベル確認処理（処理４０６）を行い、キャリッジをホームポジション（ＨＰ）ヘ移動させる（処理４０７）。
【００７０】
次に、白レベル調整でゲインエラーが無いか所定の判定処理を行い（判断４０８）、エラーが無い時（判断４０８の結果がＹＥＳ）には、ランプ１２を消灯させる（処理４０９）。その後、黒レベル確認でエラーが無いかを判定し（判断４１０）、エラー無しの場合には（判断４１０の結果がＹＥＳ）、スキャナスタンバイとする（処理４１１）。エラーがある場合には（判断４１０の結果がＮＯ）、エラー表示等の所定のエラー処理を行う（処理４１２）。
【００７１】
また、判断４０８で白レベルのゲインエラーと判定した時（判断４０８の結果がＮＯ）、何度目のエラーであるかを設定させる事（判断４１３）で、直ちにエラー表示またはエラー処理を行う事（処理４１２）と、調整位置を基準白板ＷＬａ下にして（処理４１４）、再度白レベル調整を行う事ができる（処理４０５）。その際、ランプ点灯を維持している事で、直ちに白レベル調整が可能となる。
【００７２】
一方、コンタクトガラス１１上に読取原稿ＰＰが位置している場合で、判断４０３の結果がＮＯになるときには、キャリッジをホームポジション（ＨＰ）へ移動し（ホーミング処理；処理４１５）、ランプ点灯（処理４１６）し、次いで、処理４１４へ移行し、キャリッジを基準白板ＷＬａ下へ移動させ、それ以降の処理を実行する。
【００７３】
また、省エネモード復帰時で、判断４０１の結果がＮＯになるときには、所定の省エネモード復帰時の処理を行う（処理４２０）。次いで、ホームポジションセンサ４２がオンしているかどうかを調べる（判断４２２）。判断４２２の結果がＹＥＳになるときには、キャリッジがホームポジションに位置している場合であり、処理４１５へ移行し、それ以降の処理を実行する。
【００７４】
また、判断４２２の結果がＮＯになるときには、キャリッジが基準白板ＷＬａ下で待機している可能性があるので、直ちにランプ点灯（処理４２３）を行い、白レベル調整（処理４２４）、黒レベル確認（処理４２５）、キャリッジをホームへ移動（処理４２６）の一連の流れを順に行う。
【００７５】
その後、確かにキャリッジは基準白板ＷＬａ下で省エネモードから復帰したか（判断４２７）の判定を行う。この判定は、スキャナモータ２１の駆動パルス数をカウントするなどして、予め基準白板ＷＬａからホームポジションまでの距離におけるスキャナモータ２１の駆動パルス数を記憶しておく事で比較し判定を行える。
【００７６】
判断４２７の結果がＮＯになるときには、処理４１４へ移行し、それ以降の処理を実行する。また、判断４２７の結果がＹＥＳになるときには、判断４０８へ移行し、それ以降の処理を実行する。
【００７７】
ところで、電源投入時または省エネモード復帰時に、基準白板ＷＬａと自動原稿搬送ユニット１ａあるいは圧板ＢＰの基準白板ＷＬｂ，ＷＬｂ’の境目や、基準白板ＷＬａとコンタクトガラス１０の境目などで白レベル調整を行った場合で、なおかつ、何らかの影響で白レベルエラーにならなかった場合を考慮する必要がある。この場合には、有効領域で調整を行った時、前回調整の正常なゲインと比較を行う事で精度よく判定を行う事ができる。
【００７８】
例えば、白レベル調整を行うにあたり、基準白板ＷＬａ、基準白板ＷＬｂ，ＷＬｂ’の読み取り原稿領域範囲、および、搬送ドラム７の白色部を調整有効領域とする。ホームポジションから各領域の境目（禁止領域）までの距離をスキャナモータ２１の駆動パルス数等で予め記憶させておく事で、白レベル調整後キャリッジをホームポジションへ戻す際に駆動パルス数のカウントを行い比較する事によって調整有効領域で調整を行ったか判定できる。また、有効領域で調整を行った時にも、前回調整の正常なゲインと比較を行う事で精度よく判定を行う事ができる。
【００７９】
この場合の処理例を図１１に示す。
【００８０】
まず、その状態が電源投入か、省エネモードから復帰か判定を行う（判断５０１）。判断５０１で電源投入という判定がされると（判断５０１の結果がＹＥＳ）、所定の電源オン時処理（処理５０２）を行い、省エネモードから復帰の時（判断５０１の結果がＮＯ）には、所定の省エネ復帰時処理（処理５０３）を行う。
【００８１】
次いで、白レベル調整を行うために直ちにランプ点灯を行う（処理５０４）。ランプ光量が安定するまで一定時間を待機した後、所定の白レベル調整（処理５０５）を行う。次いで、所定の黒レベル確認処理（処理５０６）を行い、キャリッジをホームポジション（ＨＰ）ヘ移動させる（処理５０７）。
【００８２】
次に、処理５０７でキャリッジをホームポジションへ移動したときのスキャナモータ２１の駆動ステップ量に基づき、白レベル有効領域で調整したかどうかを調べ（判断５０８）、白レベル有効領域で調整した場合で、判断５０８の結果がＹＥＳになるときには、白レベル調整のゲイン値が、前回の結果（保存されているゲイン値）と比較して、異常がないかどうかを調べる（判断５０９）。
【００８３】
判断５０９の結果がＹＥＳになるときには、ランプ１２を消灯させる（処理５１０）。その後、黒レベル確認でエラーが無いかを判定し（判断５１１）、エラー無しの場合には（判断５１１の結果がＹＥＳ）、スキャナスタンバイとする（処理５１２）。エラーがある場合には（判断５１１の結果がＮＯ）、エラー表示等の所定のエラー処理を行う（処理５１３）。
【００８４】
また、判断５０９で白レベルのゲインエラーと判定した時（判断５０９の結果がＮＯ）、何度目のエラーであるかを設定させる事（判断５１４）で、直ちにエラー表示またはエラー処理を行う事（処理５１３）と、調整位置を基準白板ＷＬａ下にして（処理５１５）、再度白レベル調整を行う事ができる（処理５０５へ戻る）。その際、ランプ点灯を維持している事で、直ちに白レベル調整が可能となる。
【００８５】
また、白レベル有効領域以外で調整した場合で、判断５０８の結果がＮＯになるときには、処理５１５へ移行し、調整位置を基準白板ＷＬａ下にして、再度白レベル調整を行う（処理５０５へ戻る）。
【００８６】
以上のように、本実施例では、電源投入時または省エネモード復帰時において、ホーミングさせる事が無いため処理の待ち時間短縮できる。また、電源が立ち上がった後に直ぐランプを点灯きるため光量安定までの待ち時間を考慮するとスキャナスタンバイまでに掛かる時間を短縮できる。
【００８７】
また、圧板が開いている状態では、基準白板下以外での白レベル調整を行わないようにするので、無効調整を回避する事ができる。また、圧板が開いた状態でのランプ点灯を回避できるため、ユーザーが直接ランプの光を見る事を回避できる。
【００８８】
また、コンタクトガラス上に原稿画像がある場合、原稿画像で白レベル調整を行、無効な調整となってしまう事の回避ができる。
【００８９】
また、ゲインが異常を示した際に、そのゲインを使ってシェーディング補正を行ってしまう事を回避できる。また、前回結果の正常なゲインを比較する事で精度良く判定する事が出来る。
【００９０】
また、裏が白色でない部位で白レベル調整を行ってしまう事を回避できる。また、白レベル調整でゲインエラーが無い事を確認した後にランプ消灯する事で待ち時間短縮ができる。
【００９１】
ところで、上述した実施例では、原稿読取装置単体について、本発明を適用した場合について説明したが、複写機や複合機など、原稿読み取り機能を備えた画像処理装置についても、本発明を同様にして適用することができる。その場合、本体装置の動作モードに応じて、省エネモードへ移行したり、省エネモードから復帰する。
【図面の簡単な説明】
【００９２】
【図１】本発明の一実施例にかかる原稿読取装置の概略構成の一例を示した概略構成図。
【図２】本発明の一実施例にかかる原稿読取装置の概略構成の他の例を示した概略構成図。
【図３】本発明の一実施例にかかる原稿読取装置の制御系の一例を示したブロック図。
【図４】原稿読み取り部４１の概略構成を示したブロック図。
【図５】電源投入時または省エネモードからの復帰時の処理の第１の例を示したフローチャート。
【図６】白レベル調整処理の一例を示したフローチャート。
【図７】電源投入時または省エネモードからの復帰時の処理の第２の例を示したフローチャート（図８に続く）。
【図８】電源投入時または省エネモードからの復帰時の処理の第２の例を示したフローチャート（図７の続き）。
【図９】電源投入時または省エネモードからの復帰時の処理の第３の例を示したフローチャート（図１０に続く）。
【図１０】電源投入時または省エネモードからの復帰時の処理の第３の例を示したフローチャート（図９の続き）。
【図１１】電源投入時または省エネモードからの復帰時の処理の第４の例を示したフローチャート。
【符号の説明】
【００９３】
１ａ  自動原稿搬送ユニット
１ｂ  画像読取ユニット
７  搬送ドラム
１０，１１  コンタクトガラス
１２  ランプ
１４  第１キャリッジ
１７  第２キャリッジ
２０  ＣＣＤラインイメージセンサ
２１  スキャナモータ
３１  ＣＰＵ（中央処理装置）
３２  ＲＯＭ（リード・オンリ・メモリ）
３３  ＲＡＭ（ランダム・アクセス・メモリ）
３６  入出力制御部
３７  原稿サイズ検知センサ
３８  ＡＤＦ（圧板）開閉センサ
４１  原稿読み取り部
４２  ホームポジションセンサ
４５  電源ユニット
５１  タイミング発生部
５２  アナログ信号処理部
５３  Ａ／Ｄ変換器
ＢＰ  圧板
ＷＬａ，ＷＬｂ，ＷＬｂ’  基準白板
【図１】
2010016514.tif 000003
【図２】
2010016514.tif 000004
【図３】
2010016514.tif 000005
【図４】
2010016514.tif 000006
【図５】
2010016514.tif 000007
【図６】
2010016514.tif 000008
【図７】
2010016514.tif 000009
【図８】
2010016514.tif 000010
【図９】
2010016514.tif 000011
【図１０】
2010016514.tif 000012
【図１１】
2010016514.tif 000013